(57)【要約】【課題】本発明は、長手方向を垂直にして設けたライティングダクト装置であっても容易に照明器具の位置決めを行うことができるライティングダクト装置および照明装置を提供する。【解決手段】本実施形態によれば、照明器具３に設けられた位置決め部材３６が係止する固定部１４がライティングダクト装置１１に設けられていることにより、ダクト本体１６の長手方向に対して照明器具３が移動規制されるので、垂直方式のライティングダクト装置１１であっても照明器具を使用者の適宜の位置に位置決めすることが容易となる。【選択図】図１
2005183207.tif 000002
【特許請求の範囲】
【請求項１】
電気機器が設けられる長尺のダクト本体と；
ダクト本体の内側に長手方向に沿って設けられ、かつ、電気機器の対の接続端子と電気的接続するように設けられる対の導電部と；
ダクト本体に形成されるとともに、電気機器がダクト本体に位置固定されるように電気機器設けられた電気機器位置決め部材が係止する固定部と；
を具備することを特徴とするライティングダクト装置。
【請求項２】
請求項１記載のライティングダクト装置と；
ライティングダクト装置の長手方向に対して垂直方向に設けられ、かつ、対の接続端子を有するとともに、電気機器位置決め部材が設けられている照明器具と；
を具備することを特徴とする照明装置。
【請求項３】
電気器位置決め部材は、照明器具とは別体で設けられており、ライティングダクト装置がダクト本体の長手方向において地面に対して垂直となるように設けられる際に、照明器具の一部が載置する載置部が形成されていることを特徴とする請求項２記載の照明装置。
【請求項４】
照明器具が設けられる長尺のダクト本体と、ダクト本体の内側に長手方向に沿って設けられ、かつ、照明器具の対の接続端子と電気的接続するように設けられる対の導電部とを具備するライティングダクト装置と；
対の接続端子を有し、かつ、ライティングダクト装置の長手方向に対して垂直方向に設けられるとともに、ライティングダクト装置がダクト本体の長手方向において地面に対して垂直となるように設けられる際に、自重によりダクト本体の長手方向に対して平行な方向に位置がずれないように固定する固定手段が形成されている照明器具と；
を具備することを特徴とする照明装置。
【発明の詳細な説明】
【技術分野】
【０００１】
本発明は、ライティングダクト装置および照明装置に関する。
【背景技術】
【０００２】
従来、照明器具による照明場所を任意に調整可能とするために、照明器具をダクト内の任意の位置に取付可能であるとともに照明器具がいずれの取付位置でも給電可能とするライティングダクト装置が用いられている。
【０００３】
このライティングダクト装置では、天井面などに複数本のライティングダクトを任意に設置し、これらライティングダクトの端部間を配線装置によって機械的および電気的に接続している（以下、「天井方式」という。）。また、ダクト本体の内側には長手方向に沿って給電用の対の導電部が配設され、これら導電部と照明器具側の対の端子とが接続して照明器具のいずれの取付位置でも給電可能としている。
【０００４】
また近年、ライティングダクト装置をそのダクト本体の長手方向が地面と垂直となるように設ける方式（以下、「垂直方式」という。）も用いられてきている。
【０００５】
このようなライティングダクト装置では、壁面などに沿うようにダクト本体を縦に設置し、コンセント等を設けるように構成されているものである（例えば、特許文献１参照）。
【特許文献１】特開２００３−３３３７２５号公報
【発明の開示】
【発明が解決しようとする課題】
【０００６】
しかしながら、ライティングダクト装置を垂直方式で用い、かつ、照明器具を設けたい場合には、照明器具の自重により照明器具が地面の方向（下方向）へ位置がずれやすくなってしまうので、適宜の場所へ照明装置を固定することが容易ではないという課題があった。
【０００７】
すなわち、垂直方式であっても軽量の照明器具である場合には天井方式と同様な機械的接続手段で位置固定ができ得る場合があるが、本来、ダクト本体の長手方向に対して移動規制する目的で機械的接続手段が形成されていない場合が殆どであるので、照明器具の位置ずれが生じてしまうことがあった。
【０００８】
さらに、ある程度重量のある照明器具であれば、垂直方式のライティングダクト装置ではその自重により簡単に位置ずれが生じてしまうので、垂直方式に用いることが容易ではないということがあった。
【０００９】
本発明は、このような点に鑑みなされたもので、垂直方式のライティングダクト装置であっても容易に位置決めを行うことができるライティングダクト装置および照明装置を提供することを目的とする。
【課題を解決するための手段】
【００１０】
請求項１記載のライティングダクト装置は、電気機器が設けられる長尺のダクト本体と；ダクト本体の内側に長手方向に沿って設けられ、かつ、電気機器の対の接続端子と電気的接続するように設けられる対の導電部と；ダクト本体に形成されるとともに、電気機器がダクト本体に位置固定されるように電気機器設けられた電気機器位置決め部材が係止する固定部と；を具備することを特徴とする。
【００１１】
本発明によれば、電気機器に設けられた位置決め部材が係止する固定部が設けられていることにより、ダクト本体の長手方向に対して電気機器が移動規制されるので、垂直方式のライティングダクト装置であっても電気機器を使用者の適宜の位置に位置決めすることが容易となる。
【００１２】
また、垂直方式のライティングダクト装置に設けられる電気機器が比較的重量のある大形なものであっても容易に電気機器をライティングダクト装置に位置決めできるので、汎用性を向上することができる。
【００１３】
請求項２の照明装置によれば、請求項１記載のライティングダクト装置と；請求項１記載のライティングダクト装置の長手方向に対して垂直方向に設けられ、かつ、対の接続端子を有するとともに、ライティングダクト装置がダクト本体の長手方向において地面に対して垂直となるように設けられる際に、対の接続端子の下方に電気機器位置決め部材が位置するように形成されている照明器具と；を具備することを特徴とする。
【００１４】
本発明によれば、請求項１記載の作用効果を奉する照明装置を得ることができる。
【００１５】
請求項３記載の照明装置によれば、請求項２記載の照明装置において、電気器位置決め部材は、照明器具とは別体で設けられており、ライティングダクト装置がダクト本体の長手方向において地面に対して垂直となるように設けられる際に、照明器具の一部が載置する載置部が形成されていることを特徴とする。
【００１６】
本発明によれば、垂直方式のライティングダクト装置であっても、既存の照明器具を設けることができるので、汎用性がさらに向上することできる。
【００１７】
さらに、位置決め部材は、ダクト本体には固定されつつも、照明器具の一部を載置する載置部が形成されていることにより、より容易に照明器具を位置決め固定することが可能となる。
【００１８】
請求項４記載の照明装置は、照明器具が設けられる長尺のダクト本体と、ダクト本体の内側に長手方向に沿って設けられ、かつ、照明器具の対の接続端子と電気的接続するように設けられる対の導電部とを具備するライティングダクト装置と；対の接続端子を有し、かつ、ライティングダクト装置の長手方向に対して垂直方向に設けられるとともに、ライティングダクト装置がダクト本体の長手方向において地面に対して垂直となるように設けられる際に、自重によりダクト本体の長手方向に対して平行な方向に位置がずれないように固定する固定手段が形成されている照明器具と；を具備することを特徴とする。
【００１９】
本発明によれば、照明器具に設けられた固定手段によりダクト本体の長手方向に対して電気機器が移動規制されるので、垂直方式のライティングダクト装置であっても電気機器を使用者の適宜の位置に位置決めすることが容易となる。
【００２０】
また、垂直方式のライティングダクト装置に設けられる電気機器が比較的重量のある大形なものであっても容易に電気機器をライティングダクト装置に位置決めできるので、汎用性を向上することができる。
【発明の効果】
【００２１】
請求項１記載の発明によれば、電気機器に設けられた位置決め部材が係止する固定部が設けられていることにより、ダクト本体の長手方向に対して電気機器が移動規制されるので、垂直方式のライティングダクト装置であっても電気機器を使用者の適宜の位置に位置決めすることが容易となる。
【００２２】
また、垂直方式のライティングダクト装置に設けられる電気機器が比較的重量のある大形なものであっても容易に電気機器をライティングダクト装置に位置決めできるので、汎用性を向上することができる。
【００２３】
請求項２の発明によれば、請求項１記載の作用効果を奉する照明装置を得ることができる。
【００２４】
請求項３の発明によれば、垂直方式のライティングダクト装置であっても、既存の照明器具を設けることができるので、汎用性がさらに向上することできる。
【００２５】
さらに、位置決め部材は、ダクト本体には固定されつつも、照明器具の一部を載置する載置部が形成されていることにより、より容易に照明器具を位置決め固定することが可能となる。
【００２６】
請求項４の発明によれば、照明器具に設けられた固定手段によりダクト本体の長手方向に対して電気機器が移動規制されるので、垂直方式のライティングダクト装置であっても電気機器を使用者の適宜の位置に位置決めすることが容易となる。
【００２７】
また、垂直方式のライティングダクト装置に設けられる電気機器が比較的重量のある大形なものであっても容易に電気機器をライティングダクト装置に位置決めできるので、汎用性を向上することができる。
【発明を実施するための最良の形態】
【００２８】
以下、本発明の第一実施形態を図面を参照して説明する。
【００２９】
図１はライティングダクト装置および照明器具を示した側面図、図２は図1の要部の一部を拡大した要部拡大断面図、図３はライティングダクト装置を示した説明図である。なお、図３の（ａ）はライティングダクト装置の要部拡大上面図、同じく（ｂ）はライティングダクト装置の要部拡大底面図、同じく（ｃ）はライティングダクト装置の断面図である。
【００３０】
図１に示すように、ライティングダクト装置１１は、地面とは垂直に設けられている壁面などの設置面９に配設され、照明器具３を任意の取付位置に取付可能とするとともに照明器具３のいずれの取付位置でも給電可能としたものであり、これらライティングダクト装置１１および照明器具３により照明装置３０が構成されている。
【００３１】
また、ライティングダクト装置１１は、断面略コ字形で長尺のダクト本体１６を有し、図３の（ｃ）に示すように、このダクト本体１６は、断面略コ字形の金属製のダクト基材（図示しない）の外面全体を合成樹脂製で絶縁性を有する絶縁体１８により覆って一体形成されている。ダクト本体１６には開口部１９が長手方向に沿って形成されているとともに開口部１９と反対の面には壁面である設置面９に対してねじなどで取り付けるための取付孔１７が形成されている。
【００３２】
また、ライティングダクト装置１１の内側の両側位置には対の導体保持部２１が長手方向に沿って絶縁体１８と一体に形成され、これら各導体保持部２１には対の導電部２２が長手方向に沿って取り付けられている。
【００３３】
また、ライティングダクト装置１１の開口部１９と反対の面には設置面９と若干隙間を有して位置するように、ダクト本体１６の底面部１５からダクト本体１６の内側へ突設し、かつ、ダクト本体１６の内側と外側とを挿通する固定部１４、１４，１４が形成されている。
【００３４】
なお、ライティングダクト装置１１は、導体保持部２１を成形すると同時に導電部２２を挿入する成形方法で形成されている。このように形成すると、導電部２２と導電保持部２１との接触摩擦が大きくなるので導電部２２が容易に動かなくなり好適となる。
【００３５】
照明器具３は、ライティングダクト装置１１側には、このライティングダクト装置１１に機械的および電気的接続をする接続部３１を有し、この接続部３１からはライティングダクト装置１１の長手方向に対して略垂直方向に支柱３２が設けられている。
【００３６】
さらに、この支柱３２の接続部３１とは反対側には図示しない光源が設けられている器具本体３３が設けられている。なお、この器具本体３３内には点灯装置等の電気部品も内蔵されており、接続部３１の後述する接続端子３５と電気部品とが図示しない配線などで電気的に接続されている。
【００３７】
また、接続部３１は、図２に示すように、ダクト本体１６の被係合部１３に係合することでライティングダクト装置１１の開口部１９から接続部３１が外れないように係合する係合部３４が形成されている。また、ダクト本体１６内の導電部２２と電気的接続をする一対の接続端子３５が設けられている。なお、係合部３４は、既知の手段、例えば回動によりダクト本体１６の係合溝１３に係合される等、接続部３１とダクト本体１６とを係合するように設けられればいかなる構成であってもよい。
【００３８】
また、接続部３１は、同じく図２に示すように、ダクト本体１６の固定部１４に係止する位置決め部材３６が設けられている。この位置決め部材３６は、接続部３１側からライティングダクト装置１１側へスライド移動可能であって、その一端側に形成された位置決め部３６ａが上記固定部１４内へ挿通する位置で停止可能に形成されているものである。
【００３９】
ここで本実施形態におけるライティングダクト装置１１および照明器具３の設置方法について説明する。まず、ライティングダクト装置１１をダクト本体１６の取付孔１７を用いて図示しないねじにより壁面である設置面９へ設置する。このとき、ダクト本体１６は、その長手方向が設置面９と平行であって、かつ、地面と垂直となるように設ける。
【００４０】
そして、設置面９に設けられたライティングダクト装置１１の開口部１９から照明器具３の接続部３１を挿入する。このとき、接続部３１の係合部３４および接続端子３５がライティングダクト装置１１の開口部１９と接触しない位置となるように挿入される。
【００４１】
次に、ライティングダクト装置１１のダクト本体１６内に配置された接続部３１を設置面９を正対するようにして回動させる。すると、接続部３１の係合部３４とダクト本体１６の係合溝１３とが係合するとともに、接続部３１の接続端子３５とダクト本体１６に設けられている導電部２２とが接触する。
【００４２】
このような状態となると、接続部３１を介して照明器具３は電気的に接続するとともに、ライティングダクト装置１１の開口１９から抜けることがなく、ダクト本体１６の長手方向に沿って移動自在となるように設けられる。
【００４３】
一方、照明器具３がこのような状態であれば、設置面９に対して適宜の位置へ固定することは困難である。そこで、上記接続部３１をライティングダクト装置１１に接続する際には、照明器具３の配設位置として予め定めておいたダクト本体１６の固定部１４付近へ設けるようにする。そうすると、接続部３１をライティングダクト装置１１に接続後、この接続部３１の位置決め部材３６の位置決め部３６ａダクト本体１６の固定部１４へ挿入し係止させることで、照明器具３がライティングダクト装置１１に固定されることとなる。
【００４４】
本実施形態によれば、照明器具３に設けられた位置決め部材３６が係止する固定部１４がライティングダクト装置１１に設けられていることにより、ダクト本体１６の長手方向に対して照明器具３が移動規制されるので、垂直方式のライティングダクト装置１１であっても照明器具３を使用者の適宜の位置に位置決めすることが容易となる。
【００４５】
また、垂直方式のライティングダクト装置１１に設けられる照明器具３が比較的重量のある大形なものであっても容易にライティングダクト装置１１に位置決めできるので、汎用性を向上することができる。
【００４６】
また、位置決め部材３６は、接続部３１からライティングダクト装置１１側へスライド移動可能であって、一端側に形成された位置決め部３６ａが上記固定部１４内へ挿通する位置で停止可能に形成されているので、接続部３１がライティングダクト装置１１の長手方向において下方側へ位置がずれることを確実に抑制しているものである。
【００４７】
また、ライティングダクト装置１１の固定部１４は、設置面９と若干隙間を有して位置するように、ダクト本体１６の底面部１５からダクト本体１６の内側へ突設するように形成されていることにより、位置決め部材３６の位置決め部３６ａの固定部１４への挿入距離を長くすることができるので、ライティングダクト装置１１の長手方向に対して垂直方向に設けられながらも地面方向に大きな負荷がかかる接続部３１が固定部１４から外れることをより確実に防止することができる。また、ライティングダクト装置１１を設置面９に設ける際にも固定部１４の構成が邪魔になることがなく、固定部１４を設けたとしても従来と同様な方法でライティングダクト装置１１を設置面９に設けることができるので、作業者の作業負担を増加させるようなこともない。
【００４８】
次に第二実施形態について図４を用いて説明する。図４は第二実施形態の要部の一部を拡大した要部拡大断面図であり、第一実施形態と同様な構成に関しては同一符号を付してその説明は省略する。
【００４９】
本実施形態は、位置決め部材５０が照明器具３’とは別体で設けられているものである。すなわち、位置決め部材５０は、照明器具３’の接続部３１が載置する載置部５１と、固定部１４内へ挿入されるとともにライティングダクト装置１１の底面部１５側へ位置する係止部５２が前記載置部５１から略Ｌ字状に屈曲されて設けられている。
【００５０】
本実施形態においては、まず、ライティングダクト装置１１の適宜の位置の固定部１４へ位置決め部材５０の係止部５２の先端部を挿入する。そして、固定部１４を始点とし略９０度回動させることで、位置決め部材５０をライティングダクト装置１１へ固定させる。
【００５１】
次に、照明器具３’の接続部３１を位置決め部材５０の載置部５１に載置されるような位置でライティングダクト装置１１に接続することで照明器具３’がライティングダクト装置１１に対して位置決め固定される。
【００５２】
本実施形態によれば、特別に位置決めのための部材を設けていない照明器具３’であっても垂直方式のライティングダクト装置１１に位置決め固定することができるので、汎用性を向上することできる。
【００５３】
さらに、位置決め部材５０は、ダクト本体１６には固定されつつも、照明器具３’の接続部３１を載置する載置部５１が形成されていることにより、より容易に照明器具３’を位置決め固定することが可能となる。
【００５４】
なお、上記第一、二実施形態の接続部３１は、接続部３１が回動することでライティングダクト装置１１へ接続するものであるが、例えば、接続部３１の係合部３４及び接続端子３５等の内部部材のみが回動して設けることができる構成であってもよい。
【００５５】
また、上記第一、ニ実施形態以外であっても本発明の作用効果を奉するものであれば上記実施形態に限定されないことはいうまでもない。例えば、照明器具にライティングダクト装置に直接嵌合する専用の固定手段等が設けられるような構成でもよいものである。
【図面の簡単な説明】
【００５６】
【図１】第一実施形態のライティングダクト装置および照明器具を示した側面図
【図２】同上図1の要部の一部を拡大した要部拡大断面図
【図３】同上ライティングダクト装置を示した説明図
【図４】第二実施形態のライティングダクト装置および照明器具の要部を示した要部拡大断面図
【符号の説明】
【００５７】
１６・・・ダクト本体、２２・・・導電部、１４・・・固定部、１１・・・ライティングダクト装置、３・・・照明器具、３６・・・位置決め部材
【図１】
2005183207.tif 000003
【図２】
2005183207.tif 000004
【図３】
2005183207.tif 000005
【図４】
2005183207.tif 000006